(57)【要約】【課題】筆記具を持ち運ぶのに適した形態から筆記具を立てて保持する形態への変形を簡単な操作で行えるペンケースを提供する。【解決手段】筒状に延びた筒状部１１と、筒状部１１の下端部から延び出て底に向かうにしたがって外径が小さくなるように形成される絞部１２と、絞部１２の下端から延び出て筒状部１１の下方を閉塞する底部１３と、筒状部１１の上端の開口部を閉塞する蓋部２と、を備えたペンケース１０において、絞部１２の上端及び下端に２段の肉薄の溝状の折曲ヒンジ１２ａ、１２ｂを設け、底部１３を筒状部１１の内側に収容可能としたペンケース１０が提供される。【選択図】図１
2018118139.tif 000002
【特許請求の範囲】
【請求項１】
筆記具を収容する筒状部と、
前記筒状部の下端部から延び出ており、底に向かうにしたがって外径が小さくなるように形成されるとともに、複数の折曲ヒンジを介して筒状部の内側に折り返し可能な絞部と、
前記絞部の下端から延び出ており、前記筒状部の下方を閉塞するとともに、前記絞部を折り返した際に前記筒状部の内側に収容される底部と、
前記筒状部の上端の開口部を閉塞する蓋部と、
を備えたことを特徴とするペンケース。
【請求項２】
前記複数の折曲ヒンジは、前記筒状部と絞部との間に形成された肉薄の溝状の第１の折曲ヒンジと、前記絞部と底部との間に形成された肉薄の溝状の第２の折曲ヒンジとよりなることを特徴とする請求項１に記載のペンケース。
【請求項３】
前記第１の折曲ヒンジは外側から切り欠かれており、前記第２の折曲ヒンジは内側から切り欠かれていることを特徴とする請求項２に記載のペンケース。
【請求項４】
前記絞部を折返した際に、前記底部の底面は前記筒状部の下端部と略同じ高さに位置するように収容されることを特徴とする請求項１乃至請求項３の何れか１項に記載のペンケース。
【請求項５】
前記筒状部、絞部及び底部は、弾力性を有する材料により一体的に形成されていることを特徴とする請求項１乃至請求項４の何れか１項に記載のペンケース。
【請求項６】
前記筒状部の下端から前記底部の底面までの高さが２０ｍｍ〜４０ｍｍであることを特徴とする請求項１乃至請求項５の何れか１項に記載のペンケース。
【請求項７】
前記蓋部は、前記筒状部と同一の材料によって形成された別体の部材よりなることを特徴とする請求項１乃至請求項６の何れか１項に記載のペンケース。
【請求項８】
前記蓋部は、前記筒状部及び前記蓋部に縫合された布製の接続部を介して接続されていることを特徴とする請求項７に記載のペンケース。
【請求項９】
前記接続部の幅は２０ｍｍ以下であることを特徴とする請求項８に記載のペンケース。
【請求項１０】
前記接続部以外の前記蓋部と前記筒状部との間にはファスナーが取り付けられていることを特徴とする請求項８又は請求項９に記載のペンケース。
【発明の詳細な説明】
【技術分野】
【０００１】
本発明は、筆記具を収容して保持するペンケースに関する。
【背景技術】
【０００２】
従来より、複数の筆記具をまとめて持ち運ぶのに好適なペンケースが提案されている。このようなペンケースの中には、持ち運ぶ際には邪魔にならない通常のペンケースの形態をとりつつも、机上に置いて使用する際に、複数の筆記具を立てた状態で保持可能なペンスタンドの形態に変形可能なものも提案されている。
【先行技術文献】
【特許文献】
【０００３】
【特許文献１】特開２００２−３２０５１２号公報
【発明の概要】
【発明が解決しようとする課題】
【０００４】
従来のペンケースでは、筆記具を持ち運ぶのに適した形態から筆記具を立てて保持する形態に変形する際に、両手でペンケースの側部や底部を折り返したり、ファスナーを開閉したりする必要があり変形作業が煩雑である。
【０００５】
ペンケースは、頻繁に持ち運んで使用するものであるため、簡単に変形させる作業を行えないと、ユーザにおいては変形させるのが面倒になってしまう。
【０００６】
その結果、変形機能を有しているにもかかわらず、専ら筆記具を持ち運ぶのに適した形態のまま使用したり、或いは専らペンスタンドとして使用したりするなど、変形機能が有効に利用されなくなってしまうこともある。
【０００７】
そこで、本発明は、筆記具を持ち運ぶのに適した形態から筆記具を立てて保持する形態への変形を簡単に行えるペンケースを提供することを目的とする。
【課題を解決するための手段】
【０００８】
下記の開示の一観点によれば、筆記具を収容する筒状部と、前記筒状部の下端部から延び出ており、底に向かうにしたがって外径が小さくなるように形成されるとともに、複数の折曲ヒンジを介して筒状部の内側に折り返し可能な絞部と、前記絞部の下端から延び出ており、前記筒状部の下方を閉塞するとともに、前記絞部を折り返した際に前記筒状部の内側に収容される底部と、前記筒状部の上端の開口部を閉塞する蓋部と、を備えたペンケースが提供される。
【発明の効果】
【０００９】
上記観点のペンケースによれば、本体を片手で持って底部を机に押し付けることで筆記具を持ち運ぶのに適した形態から筆記具を立てて保持する形態に簡単に変形できる。
【図面の簡単な説明】
【００１０】
【図１】図１は、第１実施形態に係るペンケースの斜視図である。
【図２】図２は、図１のペンケースの断面図である。
【図３】図３は、図１のペンケースを変形させた状態の断面図である。
【図４】図４は、図１のペンケースの使用状態の一例を示す斜視図である。
【図５】図５は、第１実施形態の変形例に係るペンケースの斜視図である。
【図６】図６は、図５のペンケースの断面図である。
【発明を実施するための形態】
【００１１】
以下、添付の図面を参照して実施形態について説明する。
【００１２】
（第１実施形態）
図１は、本実施形態に係るペンケース１０の斜視図である。
【００１３】
図１に示すように、本実施形態に係るペンケース１０は、円筒形の本体１と、その本体１の上端の開口部を塞ぐ蓋部２とを備えてなり、その本体１の中に筆記具を収容する構造となっている。
【００１４】
これらの本体１及び蓋部２は、弾力性を有する柔軟なエラストマーによって形成されており、外部からの力を加えた際に容易に変形し、力を取り除くと元の形に復元する。そのエラストマーとしては、例えばシリコーン樹脂などを用いることができる。また、本体１及び蓋部２の肉厚は、例えば１ｍｍ〜４ｍｍとすると、ペンケース１０に好適な弾力性が得られる。
【００１５】
本体１は、一体的に繋がって形成された筒状部１１の絞部１２及び底部１３よりなる。このうち、筒状部１１は本体１の大部分を占め、一定の外径で下方に筒状に延びている。その筒状部１１の下端部からは、下方に向かうにしたがって外径が小さくなるように形成された絞部１２が延び出ている。さらに、その絞部１２の下端からは本体１の底を構成する底部１３が延び出ている。底部１３の底の部分は平面によって形成されており、机など上に本体１を立てた状態で置くことができる。
【００１６】
本体１に収容された筆記具は、縦に設置すると底部１３とによって下から支えられた状態となる。
【００１７】
図１の形態において、底部１３の底面から筒状部１１の上端部までの高さは、ペンや鉛筆などの一般的な筆記具の長さである１５ｃｍ程度に設定されており、ペンケース１０に収容した筆記具は本体１の内側に隠れる状態となっている。
【００１８】
蓋部２は、本体１の筒状部１１の上端に柔軟な接続部１６を介して取り付けられている。その接続部１６は、例えば布などよりなり、エラストマーよりなる本体１と蓋部２とに縫合されている。
【００１９】
接続部１６の幅は、２０ｍｍ以下とすることが好ましい。接続部１６の幅がこれよりも広い場合には、蓋部２を開けた後に接続部１６の弾性的な復元力で蓋部２が徐々に閉じるように戻ってしまい、最終的には蓋部２が閉じてしまう。そのため、接続部１６の幅が広すぎると筆記具を出し入れする際に蓋部２を手で押さえておく必要が生じて使い勝手が悪くなってしまう。
【００２０】
また、上記の不具合を防ぐ観点からは、接続部１６により柔らかい布地を使用するなどして接続部１６の弾性的な復元力を弱めてもよい。
【００２１】
上記の接続部１６以外の蓋部２の下端と本体１の上端とには、線ファスナー１５が縫い付けられている。
【００２２】
線ファスナー１５を閉じることにより、ペンケース１０が密閉され、収容した筆記具を持ち運ぶことができる。
【００２３】
本実施形態において蓋部２は、２〜３ｃｍ程度の高さ（図２の符号Ｅ）の側壁２ａと上端の平面２ｂとを備えている。このため、ペンケース１０の全体の高さは、本体１の高さＤ（１５ｃｍ程度）に加えて、線ファスナー１５の幅である約１ｃｍ及び蓋部２の高さＥ（２〜３ｃｍ）が加わった１８〜１９ｃｍ程度となる。これにより、通常よりも長い筆記具や定規なども余裕を持って収容できるようになっている。
【００２４】
図２は図１のペンケース１０の断面図であり、図３は図１のペンケース１０を変形させた状態の断面図である。
【００２５】
図２に示すように、本実施形態のペンケース１０では、変形しやすいように、絞部１２と筒状部１１との間に他の部分よりも肉薄に形成されて屈曲しやすくなった第１の折曲ヒンジ１２ａが形成されている。
【００２６】
また、底部１３と絞部１２との間にも、他の部分よりも肉薄に形成されて屈曲しやすくなった第２の折曲ヒンジ１２ｂが形成されている。
【００２７】
筒状部１１と絞部１２との間に形成された第１の折曲ヒンジ１２ａは、図中の拡大断面図に示すように、筒状部１１及び絞部１２の外側から切れ込んだ溝状に形成されている。このような第１の折曲ヒンジ１２ａに絞部１２を上方に押し付ける力を作用させると、図中の矢印Ａに示す方向に絞部１２が折れ曲がるようにして変形する。
【００２８】
また、絞部１２と底部１３との間に形成された第２の折曲ヒンジ１２ｂは、本体１の内側から切れ込んだ溝状に形成されている。このような第２の折曲ヒンジ１２ｂに対して、底部１３を上方に押し付ける方向の力を作用させると、図中のＢに示す方向に第２の折曲ヒンジ１２ｂが変形する。
【００２９】
本実施形態のペンケース１０は、上記の第１の折曲ヒンジ１２ａ及び第２の折曲ヒンジ１２ｂが折れ曲がることで絞部１２及び底部１３の部分が筒状部１１の内側に収容されるように変形する。
【００３０】
すなわち、図１の状態において、筒状部１１を手で持って、底部１３を机などに押し付けると、第１の折曲ヒンジ１２ａ及び第２の折曲ヒンジ１２ｂが図２に示すように折れ曲がる。
【００３１】
その結果、図３に示すように、絞部１２が筒状部１１の内側に折り返され、それにともなって底部１３が筒状部１１の内側に収容された状態に変形する。
【００３２】
図２の形状から図３の形状に変形する過程で、絞部１２が撓むため若干の力が必要となるが、図３の形状に変形した後は、本体１の弾力性によって図３の形状が維持される。
【００３３】
このとき、底部１３の底面の位置は、筒状部１１の底の第１の折曲ヒンジ１２ａと略同じ高さとなり、本体１の底の一部となる。これにより、ペンケース１０を立てた際に、底面の広い面積で机などに接地するため、安定して自立させることができる。
【００３４】
図４は、図１のペンケースを変形させた状態を示す斜視図である。
【００３５】
図３に示すような上記の変形を行うことで、底部１３の底面の位置が本体１の上端側に移動し、本体１に収容された筆記具９９が底部１３によって持ち上げられる。これにより、図４に示すように筆記具９９の上部が本体１の上端から突出した状態となり、ペンケース１０を立てて使用する際に、筆記具９９を容易に取り出すことができる。
【００３６】
筆記具９９が底部１３によって持ち上げられる高さは、図２の高さＣとほぼ等しい。この高さは、例えば筆記具９９のペン先からグリップまでの距離である２０ｍｍ〜４０ｍｍとすることができる。
【００３７】
なお、高さＣを上記の範囲よりも大きくしすぎると、ペンケース１０を変形させる際に、絞部１２がスムーズに筒状部１１の内側に折り返されなくなってしまい、簡単に変形させることができなくなってしまう。
【００３８】
図４の形態から図１の形態に戻す場合には、ペンケース１０の底部１３を手でつまんで筒状部１１から引き出せばよい。
【００３９】
以上のように、本実施形態のペンケース１０は、本体１の筒状部１１を片手で持って机などに底部１３を押し付ける操作を行うだけでペンスタンドの形態に変形することができる。これにより、筆記具９９を持ち運ぶのに適した形態から筆記具９９を立てて保持する形態に簡単に変形できる。
【００４０】
本実施形態のペンケース１０は、例えば社員が個々に机を持たないフリーアドレスオフィスなどのように頻繁に作業場所を移動する機会の多い場所で作業を行うユーザ等に好適である。
【００４１】
（変形例）
図１のペンケース１０は、本体１の断面形状が円筒形の例を示したが、本実施形態はこれに限定されるものではない。
【００４２】
図５は、本変形例に係るペンケース２０の斜視図であり、図６はそのペンケース２０の断面図である。
【００４３】
図５に示すように、本変形例に係るペンケース２０は本体１及び蓋部２の形状が図１のペンケース１０の円筒形状を扁平にした形状となっている。
【００４４】
本体１は、筒状部２１を備え、その筒状部２１の下に絞部２２が形成され、その絞部２２の下端から底部２３が延び出ている。底部２３は、筒状部２１と同様に円筒形状を扁平にした形状となっている。
【００４５】
蓋部２は、接続部（不図示）を介して本体１に接続されており、蓋部２の下端部の縁と本体１の上端部の縁とに線ファスナー１５が取り付けられている。
【００４６】
図６に示すように、筒状部２１と絞部２２との間には第１の折曲ヒンジ２２ａが形成され、絞部２２と底部２３との間には、第２の折曲ヒンジ２２ｂが形成されている。
【００４７】
第１の折曲ヒンジ２２ａは、図２の第１の折曲ヒンジ１２ａと同様に本体１の外側から切れ込んだ溝状に形成されている。また、第２の折曲ヒンジ２２ｂは、図２の第２の折曲ヒンジ１２ｂと同様に本体１の内側から切れ込んだ溝状に形成されている。
【００４８】
本変形例のペンケース２０は、これらの第１の折曲ヒンジ１２ａ、第２の折曲ヒンジ２２ｂを備えたことにより、本体１の筒状部２１を手で持ち、底部２３を机などに押し付けるだけで、筆記具９９を持ち運ぶのに適した形態から筆記具９９を立てて保持する形態に簡単に変形できる。
【００４９】
（その他の実施形態）
なお、上記のペンケース１０、２０では、絞部１２、２２が２つの折曲ヒンジで折り返される構成を示したが、本発明はこれに限定されるものではなく、折曲ヒンジを３つ以上設けて絞部１２、２２を複数段で構成してもよい。
【符号の説明】
【００５０】
１…本体                              ２…蓋部
１０、２０…ペンケース                １１、２１…筒状部
１２、２２…絞部                      １２ａ、２２ａ…第１の折曲ヒンジ
１２ｂ、２２ｂ…第２の折曲ヒンジ      １３、２３…底部
１５…線ファスナー                    １６…接続部
【図１】
2018118139.tif 000003
【図２】
2018118139.tif 000004
【図３】
2018118139.tif 000005
【図４】
2018118139.tif 000006
【図５】
2018118139.tif 000007
【図６】
2018118139.tif 000008